(57)【特許請求の範囲】
【請求項１】
上下方向における変位を伴う所定の軌道に沿って可動に支持された可動物と、
前記可動物を前記軌道に沿って、上下方向における位置が高くなる方向Ｘに駆動する駆動手段と、
前記方向Ｘに駆動された前記可動物の位置を保持する保持手段と、
を備える遊技機であって、
前記可動物は、（ａ）本体と、（ｂ）前記本体に対して所定範囲で前記軌道と平行に移動可能に取り付けられ、前記駆動手段により前記方向Ｘに駆動される被駆動体とを備え、
前記保持手段は、（ｃ）前記本体に変位可能に取り付けられるとともに、前記被駆動体に当接し、前記被駆動体の前記本体に対する移動によって変位する係合部と、（ｄ）前記遊技機の本体側に設けられた被係合部とから構成され、
前記係合部と前記被係合部とは、前記被駆動体の前記本体に対する上下方向における相対位置が所定の上限位置以上である場合には係合して前記可動物の位置を保持し、前記相対位置が所定の下限位置以下である場合は係合しないことを特徴とする遊技機。
【請求項２】
前記係合部は、その一端において前記本体に回動可能に取り付けられるとともに、前記一端以外の部分が前記被駆動体の上端に当接するように付勢されていることを特徴とする請求項１記載の遊技機。
【発明の詳細な説明】
【技術分野】
【０００１】
本発明は、例えば、パチンコ機等の遊技機に関する。
【背景技術】
【０００２】
従来、演出効果を高めるために、モータ駆動により上下動可能な可動物を遊技機の遊技盤に設けることが行われている（特許文献１参照）。この可動物は、遊技の状況に応じて上下動する。遊技者は、この可動物の動作を視認することができる。
【先行技術文献】
【特許文献】
【０００３】
【特許文献１】特開２００２−０６５９８７号公報
【発明の概要】
【発明が解決しようとする課題】
【０００４】
この可動物は、上昇した位置で保持される場合があるが、上昇した位置で保持すべき可動物が不本意に落下してしまうことがある。
本発明は以上の点に鑑みなされたものであり、可動物の落下を防止できる遊技機を提供することを目的とする。
【課題を解決するための手段】
【０００５】
本発明の遊技機は、
上下方向における変位を伴う所定の軌道に沿って可動に支持された可動物と、
前記可動物を前記軌道に沿って、上下方向における位置が高くなる方向Ｘに駆動する駆動手段と、
前記方向Ｘに駆動された前記可動物の位置を保持する保持手段と、
を備える遊技機であって、
前記可動物は、（ａ）本体と、（ｂ）前記本体に対して所定範囲で前記軌道と平行に移動可能に取り付けられ、前記駆動手段により前記方向Ｘに駆動される被駆動体とを備え、
前記保持手段は、（ｃ）前記本体に変位可能に取り付けられるとともに、前記被駆動体に当接し、前記被駆動体の前記本体に対する移動によって変位する係合部と、（ｄ）前記遊技機の本体側に設けられた被係合部とから構成され、
前記係合部と前記被係合部とは、前記被駆動体の前記本体に対する上下方向における相対位置が所定の上限位置以上である場合には係合して前記可動物の位置を保持し、前記相対位置が所定の下限位置以下である場合は係合しないことを特徴とする。
【０００６】
本発明の遊技機では、可動物を、上下方向における変位を伴う所定の軌道に沿って、上下方向における位置が高くなる方向Ｘに移動させるとき、被駆動体に方向Ｘに向けた駆動力を伝える。被駆動体は本体に対して軌道方向と平行に移動可能であるから、被駆動体に方向Ｘの駆動力を伝えた場合、被駆動体は方向Ｘ（上下方向における位置が高くなる方向）に移動し、被駆動体の本体に対する上下方向における相対位置は所定の上限位置以上となる。このとき、本体に取り付けられた係合部と、遊技機の本体側に設けられた被係合部とが係合し、方向Ｘに移動した可動物の落下を防止することができる。
【０００７】
また、本発明の遊技機では、一旦方向Ｘに移動させた可動物を方向Ｘとは反対方向（軌道に沿って、上下方向における位置が低くなる方向）に移動させるとき、被駆動体に、その反対方向の駆動力を伝える。可動物の本体は、当初、保持手段により反対方向への移動を制限されるが、被駆動体は本体に対して軌道と平行に移動可能であるから、反対方向の駆動力を伝えられた被駆動体は本体に対して相対的に反対方向に移動し、被駆動体の本体に対する相対位置は所定の下限位置以下となる。このとき、保持手段の係合は解除されるので、その後は、可動物の全体をスムーズに反対方向に移動させることができる。
【０００８】
前記係合部としては、例えば、その一端において前記本体に回動可能に取り付けられるとともに、前記一端以外の部分が前記被駆動体の上端に当接するように付勢されているものが挙げられる。
【０００９】
前記被駆動体は、例えば、前記係合部に対し、前記被駆動体に当接する側とは反対側から対向する強制引き離し片を備えることが好ましい。強制引き離し片を備えることにより、可動物を駆動手段により軌道に沿って下降させる場合、係合部と被係合部との係合を確実に解除し、保持手段の破損を防止することができる。
【００１０】
前記被係合部は、例えば、前記係合部と係合可能な横板を備え、前記横板は、回動軸を介して、押し上げられる方向に回動可能に設けられていることが好ましい。
こうすることにより、可動物を方向Ｘに移動させるとき、係合部が横板を下方向から押し上げても、横板が回動し、係合部を上方向に逃がすことができる。その結果、可動物をスムーズに上昇させることができる。
【００１１】
また、前記被係合部は、例えば、遊技機の本体側に取り付けられた保持部と、前記保持部に保持された突出片とを備え、前記突出片は、付勢手段により、前記保持部から突出する方向に付勢されているとともに、前記突出する方向とは反対方向に退避可能であり、前記突出片の前記突出する方向側の端部は、その上端が下端よりも、前記突出する方向に突出するように傾斜していることが好ましい。
【００１２】
この場合、可動物を方向Ｘに移動させるとき、係合部が突出片の端部（その上端が下端よりも、前記突出する方向に突出するように傾斜している）に当る。その状態で、可動物が方向Ｘに移動するにつれて、突出片は、突出する方向とは反対方向に退避する。その結果、係合部は、被係合部を通過することができ、可動物は方向Ｘにスムーズに移動できる。
【００１３】
前記上下方向における変位を伴う軌道としては、例えば、上下方向の軌道、上下方向に対し傾斜した軌道が挙げられる。上下方向の軌道の場合、前記方向Ｘは、上方向となる。また、上下方向に対し傾斜した軌道の場合、前記方向Ｘは、その軌道に沿う方向のうち、上下方向における位置が高くなる方向となる。
【図面の簡単な説明】
【００１４】
【図１】可動物の取り付け構造１の全体構成を表す斜視図である。
【図２】可動物の取り付け構造１を、図１における上方から見た平面図である。
【図３】可動物３の水平断面図である。
【図４】可動物３を駆動する機構を表すブロック図である。
【図５】被駆動体１５の本体１３に対する相対位置が上限位置Ｃである場合の保持機構３３を表す斜視図である。
【図６】被駆動体１５の本体１３に対する相対位置が下限位置Ｄである場合の保持機構３３を表す斜視図である。
【図７】保持機構３３の動作を表す説明図である。
【図８】保持機構３３の動作を表す説明図である。
【図９】可動物の取り付け構造１が実行する処理を表すフローチャートである。
【図１０】被係合部３７のその他の実施形態を表す説明図である。
【図１１】被係合部３７のその他の実施形態を表す説明図である。
【発明を実施するための形態】
【００１５】
本発明の実施形態を図面に基づいて説明する。
１．可動物の取り付け構造１
本実施形態の遊技機は、正面側に遊技盤（図示略）を備え、その遊技盤には、上下方向に可動に支持された可動物３が設けられている。
【００１６】
まず、この可動物３及びその周囲（可動物の取り付け構造１）の全体構成を図１〜図４に基づいて説明する。なお、本実施形態の遊技機において、可動物の取り付け構造１以外は、周知の遊技機と同様であるから、その詳しい説明は省略する。図１は、可動物の取り付け構造１の全体構成（ただし後述する保持機構３３は省略）を表す斜視図である。図２は、可動物の取り付け構造１を、図１における上方から見た平面図である。図３は、可動物３の水平断面図である。図４は、可動物３を駆動する機構を表すブロック図である。
【００１７】
可動物の取り付け構造１は、可動物３と、一対の丸柱５、５と、ステップモータ（駆動手段）７と、上センサ９と、下センサ１１とを備えている。
前記可動物３は、板状の本体１３と、本体１３の左右方向における一方の端面に位置する角材状の被駆動体１５とを備える。本体１３における一方の面（遊技機において背面側となる面）には、４個のガイド部１７が設けられている。ガイド部１７は、本体１３における周囲の部分よりも突出した部分である。４個のガイド部１７は、一列に２個が含まれるように、縦２列で配置されている。４個のガイド部１７には、それぞれ、上下方向に貫通する断面円形の縦孔１７ａが形成されている。縦に並んだ２個のガイド部１７における縦孔１７ａに１本の丸柱５が挿入されている。可動物３は、ガイド部１７が丸柱５に沿ってスライド（移動）することにより、上下方向の軌道（上下方向における変位を伴う所定の軌道）に沿って可動である。可動物３のスライド動作の範囲は一定の範囲に制限される。スライド動作の上限は、本体１３の上部に形成された突片３１が、遊技機本体側（遊技機のうち、可動物３以外の部分）に設けられたストッパ１０１に当接する位置である。また、スライド動作の下限は、本体１３の下端が、遊技機本体側の底板（図示略）に当接する位置である。以下では、上述したスライド動作の上限にあるときにおける可動物３の位置を、上限位置Ａとする。また、スライド動作の下限にあるときにおける可動物３の位置を、下限位置Ｂとする。
【００１８】
図１に示すように、被駆動体１５には、上下方向に間隔を空けて、２つの帯体１９、１９が取り付けられている。図２、図３に示すように、帯体１９の一方の端部１９ａは、被駆動体１５における一方の側面１５ａに取り付けられ、帯体１９の反対側の端部１９ｂは、被駆動体１５における、側面１５ａとは反対側の側面１５ｂに取り付けられている。そして、帯体１９と被駆動体１５とで形成される環の中に、本体１３が収容されている。この構造により、被駆動体１５は、本体１３に当接した状態のまま、本体１３に対し、上下方向にスライド（移動）可能である。ただし、被駆動体１５の本体１３に対するスライド動作は、一定の範囲に制限される。スライド動作の上限は、帯体１９の上端が、ガイド部１７の下端に当接する位置であり、スライド動作の下限は、帯体１９の下端が、本体１３に形成された突出部２０（図１参照）の上端に当接する位置である。以下では、上述したスライド動作の上限にあるときにおける被駆動体１５の本体１３に対する相対位置を上限位置Ｃとする。また、スライド動作の下限にあるときにおける被駆動体１５の本体１３に対する相対位置を下限位置Ｄとする。
【００１９】
また、図３に示すように、本体１３のうち、被駆動体１５に面する側面には、溝２１が形成されており、被駆動体１５のうち、本体１３に面する側面には、溝２１に嵌合する凸部２３が係合されている。この溝２１と凸部２３とが嵌合していることにより、本体１３に対する被駆動体１５の横方向（図３における左右方向）における位置がずれてしまうようなことがない。また、本体１３に対する被駆動体１５のスライド動作をスムーズに行うことができる。
【００２０】
また、被駆動体１５のうち、本体１３とは反対側の側面には、リニア歯車２５が形成されている。このリニア歯車２５に対し、ステップモータ７により、上方向（方向Ｘ）又は下方向への駆動力が伝えられる。被駆動体１５は、ステップモータ７により伝えられる駆動力により、本体１３に対し上下方向にスライドする。また、被駆動体１５が上限位置Ｃにある場合、さらにステップモータ７により、上方向への駆動力が伝えられると、可動物３全体が上昇する。
【００２１】
前記上センサ９は、遊技機の本体側に取り付けられており、可動物３が上昇し、上限位置Ａに達したときに、本体１３の上部に形成された突片３１の接近を検出し、検出信号を出力する。
【００２２】
前記下センサ１１は、遊技機の本体側に取り付けられており、可動物３が下降し、下限位置Ｂに達したときに、本体１３の下端の接触（又は接近）を検出し、検出信号を出力する。
【００２３】
本実施形態の遊技機は、図４に示す制御機構を備えている。この制御機構は、制御装置２７、駆動回路２９、ステップモータ７、上センサ９、及び下センサ１１で構成される。制御装置２７は、遊技機の演出制御基板（図示略）から、可動物３の動作に関するコマンドを受け付け、また、上センサ９、下センサ１１からの検出信号を受け付け、それらに応じて、駆動回路２９を制御する。駆動回路２９は、制御装置２７からの制御信号に応じて、ステップモータ７を駆動する。ステップモータ７は、上述したように、被駆動体１５に対し、上下方向への駆動力を伝える。
【００２４】
２．保持機構３３の構成
次に、可動物の取り付け構造１が備える、可動物の保持機構（保持手段）３３について、図５〜図８に基づいて説明する。図５は、被駆動体１５の本体１３に対する相対位置が上限位置Ｃである場合の保持機構３３を表す斜視図（ただし、後述する強制引き離し片５５は省略）である。図６は、被駆動体１５の本体１３に対する相対位置が下限位置Ｄである場合の保持機構３３を表す斜視図である。図７及び図８は、保持機構３３の動作を表す説明図である。
【００２５】
保持機構３３は、本体１３側に取り付けられた係合部３５と、遊技機の本体側に取り付けられた被係合部３７とから構成される。
本体１３において被駆動体１５と対向する側の上端付近には、図５、図６に示す切欠部３９が形成されている。係合部３５は、長辺３５ａと短辺３５ｂとから成る略Ｌ字状の板状部材であり、長辺３５ａの一端３５ｃを、回動軸４１を介して、本体１３の上面のうち、切欠部３９が形成された部分（周囲より一段低くなった部分）に回動可能に取り付けられている。回動軸４１の位置は、被駆動体１５から所定距離だけ離れた位置である。また、回動軸４１における回動の方向は、長辺３５ａが被駆動体１５の側に倒れこむことが可能な方向である。係合部３５が前記のように取り付けられたとき、短辺３５ｂの先端は、被駆動体１５とは反対方向（図５、図６では左側）を向く。長辺３５ａは、バネ４３により、被駆動体１５側に倒れこむように付勢されており、長辺３５ａは被駆動体１５の上端のうちの、本体１３側の辺１５ｃに当接している。
【００２６】
図５に示すように、被駆動体１５の本体１３に対する相対位置が上限位置Ｃである場合、長辺３５ａが被駆動体１５の方に倒れこむ角度は小さく、短辺３５ｂは図５における左方向に大きく突き出されている。一方、図６に示すように、被駆動体１５の本体１３に対する相対位置が下限位置Ｄである場合、長辺３５ａが被駆動体１５の方に倒れこむ角度は大きく、短辺３５ｂは、被駆動体１５の方向に後退する。
【００２７】
図５、図７に示すように、前記被係合部３７は、遊技機本体側の天井板（図示略）から垂下した一対の支柱４５、４５と、一対の支柱４５、４５を連結する水平な逆止棒４７と、一対の支柱４５、４５を連結する水平な軸４９と、軸４９に回動可能に取り付けられた被係止板５１と、被係止板５１に対し直交するように取り付けられた逆止片５３とを備える。
【００２８】
被係合部３７は、被係止板５１における軸４９とは反対側の辺５１ａが、被駆動体１５に対向する向きに取り付けられる。また、図５に示すように、被駆動体１５の本体１３に対する相対位置が上限位置Ｃである場合、被係止板５１と短辺３５ｂとが、上から見て重なるとともに、図６に示すように、被駆動体１５の本体１３に対する相対位置が下限位置Ｄである場合、被係止板５１と短辺３５ｂとが、上から見て重ならないような位置に、被係合部３７は取り付けられる。また、被係合部３７は、可動物３が上限位置Ａにある場合は、被係止板５１が短辺３５ｂよりも下側にあり、可動物３が上限位置Ａよりも所定量下がったときに、被係止板５１が短辺３５ｂよりも上側となるような高さに取り付けられている。
【００２９】
被係止板５１は、図５、図６に示すように水平な状態から、軸４９を回動軸として、辺５１ａが押し上げられる方向に回動可能である。従って、図７に示すように、係合部３５の短辺３５ｂが下方から上昇し、被係止板５１に接触した場合、被係止板５１が、軸４９を回動軸として、辺５１ａが押し上げられる方向に回動し、短辺３５ｂを被係止板５１の上方に逃がすことができる。被係止板５１の底にはおもり５１ｂが取り付けられており、上記のように押し上げられた後、おもり５１ｂの重みにより、被係止板５１は水平な状態に復帰する。
【００３０】
図５、図７に示すように被係止板５１が水平な状態において、被係止板５１に対し、辺５１ａが押し下げられる方向の力を加えても、逆止片５３が逆止棒４７に当接するため、被係止板５１のその方向への動きは禁止される。
【００３１】
図６に示すように、被駆動体１５の上端には、強制引き離し片５５が取り付けられている。強制引き離し片５５は短辺５５ａと長辺５５ｂとから成るＬ字状の部材であり、短辺５５ａが被駆動体１５の上端に取り付けられ、長辺５５ｂは、係合部３５の長辺３５ａに対し、被駆動体１５とは反対側から対向している。すなわち、係合部３５の長辺３５ａは、強制引き離し片５５の長辺５５ｂと、被駆動体１５の辺１５ｃとの間に挟まれている。図６に示すように、被駆動体１５の本体１３に対する相対位置が下限位置Ｄである場合、強制引き離し片５５の長辺５５ｂにより、係合部３５の長辺３５ａの本体１３側への回動は制限され、短辺３５ｂが被係止板５１と重なることはない。よって、図８に示すように、被駆動体１５の本体１３に対する相対位置が上限位置Ｃから下限位置Ｄに変化した場合、仮に、バネ４３のみでは長辺３５ａが被駆動体１５側に十分倒れない場合でも、強制引き離し片５５により、長辺３５ａが被駆動体１５側に十分に倒れこみ、短辺３５ｂは、被係止板５１と重ならない位置まで退避する。
【００３２】
３．可動物の取り付け構造１が実行する処理
可動物の取り付け構造１（特に制御装置２７（図４参照））が実行する処理を図９のフローチャートに基づいて説明する。この処理は、遊技機の電源がＯＮになっている期間中、所定時間ごとに繰り返し実行される。
【００３３】
ステップ１０では、図示しない遊技機の主基板からのコマンドを制御装置２７が読み込む。なお、読み込んだコマンドは、次のコマンドが読み込まれるまで有効である。
ステップ２０では、上センサ９からの信号を制御装置２７が読み込む。
【００３４】
ステップ３０では、下センサ１１からの信号を制御装置２７が読み込む。
ステップ４０では、前記ステップ１０で読み込んだコマンドが上位置コマンドであるか否かを判断する。上位置コマンドとは、可動物３をその上限位置Ａに移動させるコマンドである。上位置コマンドである場合はステップ５０に進み、上位置コマンドではない場合はステップ８０に進む。
【００３５】
ステップ５０では、駆動回路２９によりステップモータ７を所定量駆動し、可動物３を上方向に移動させる。このとき、ステップモータ７の駆動力は、可動物３のうちの被駆動体１５に伝えられ、被駆動体１５は本体１３に対して上下方向にスライド可能であるから、被駆動体１５は、まず、本体１３に対し、相対的に上方向に移動し、図５に示すような上限位置Ｃに達する。被駆動体１５の本体１３に対する相対位置が上限位置Ｃに達した後は、可動物３が全体として上方向に移動する。よって、可動物３が全体として上方向へ移動するとき、被駆動体１５の本体１３に対する相対位置は上限位置Ｃである。このとき、上述したように、係合部３５の短辺３５ｂは、被係合部３７の側に突出し、上から見たとき、被係止板５１と短辺３５ｂとが重なる。
【００３６】
なお、本ステップ５０の処理を繰り返し、上述した状態で可動物３が上昇してゆくと、やがて、図７に示すように、短辺３５ｂが被係止板５１に下側から接触する。被係止板５１は、短辺３５ｂによって押し上げられ、軸４９を回動軸として、辺５１ａが上昇する方向に回動し、短辺３５ｂを被係止板５１の上方に逃がす。その後、おもり５１ｂの重みにより、被係止板５１は水平な状態に復帰する。その結果、短辺３５ｂは、被係止板５１よりも上方にあり、上から見たとき、被係止板５１と重なるようになる。
【００３７】
なお、被駆動体１５と本体１３との間のスライド動作が滑らかでない等の原因で、被駆動体１５の本体１３に対する相対位置が、図６に示すような下限位置Ｄのままで、可動物３が上昇する場合でも問題はない。この場合、可動物３が上昇するとき、短辺３５ｂは、被係止板５１から離れた状態にあり、被係止板５１に接触することなく、被係止板５１よりも上側に移動する。しかし、可動物３が上限位置Ａに達すると、本体１３の突片３１が遊技機本体側のストッパ１０１に当接し、本体１３はそれ以上上昇しなくなるが、被駆動体１５はステップモータ７によりさらに上方向に駆動されるので、被駆動体１５は本体１３に対し相対的に上方向に移動し、被駆動体１５の本体１３に対する相対位置は、結局、上限位置Ｃとなり、係合部３５の短辺３５ｂは被係合部３７の側に突出する。その結果、短辺３５ｂは、被係止板５１よりも上方にあり、上から見たとき、被係止板５１と重なるようになる。
【００３８】
ステップ６０では、前記ステップ２０で読み込んだ信号が、可動物３が上限位置Ａに達したことを検出した信号であるか否かを判断する。ＹＥＳの場合はステップ７０に進み、ＮＯの場合は本処理を終了する。
【００３９】
ステップ７０では、ステップモータ７により、可動物３の現在の位置を保持する。このとき、可動物３が上限位置Ａにあるので、被係止板５１が短辺３５ｂよりも下側にある。また、可動物３が上限位置Ａまで上昇する過程において、上述したように、被駆動体１５の本体１３に対する相対位置は上限位置Ｃとなっており、短辺３５ｂは、被係止板５１と重なる位置まで突出している（図５参照）。そのため、可動物３が上限位置Ａから落下しようとしても、短辺３５ｂが被係止板５１に当接し、可動物３はそれ以上落下しない。
【００４０】
前記ステップ４０でＮＯと判断した場合はステップ８０に進み、前記ステップ１０で読み込んだコマンドが下位置コマンドであるか否かを判断する。下位置コマンドとは、可動物３をその下限位置Ｂに移動させるコマンドである。下位置コマンドである場合はステップ９０に進み、下位置コマンドではない場合は本処理を終了する。
【００４１】
ステップ９０では、駆動回路２９によりステップモータ７を所定量駆動し、可動物３を下方向に移動させる。
なお、上述したように、可動物３を上限位置Ａまで上昇させる過程において、被駆動体１５の本体１３に対する相対位置は上限位置Ｃとなっているから、可動物３を上限位置Ａから降下させてゆく場合、当初は、被駆動体１５の本体１３に対する相対位置は上限位置Ｃである。この状態で、可動物３を降下させてゆくと、やがて、短辺３５ｂが被係止板５１に上側から当接し、本体１３はそれ以上降下しなくなる。この状態でも、ステップモータ７による下向きの駆動力は被駆動体１５に伝えられており、被駆動体１５は本体１３に対して上下方向にスライド可能であるから、被駆動体１５の本体１３に対する相対位置は、図６に示すような下限位置Ｄとなる。そのため、係合部３５の短辺３５ｂは、被係止板５１と重ならない位置に退避する。その結果、それ以降は、本体１３も含めた可動物３全体の下限位置Ｂへの降下が可能になる。
【００４２】
ステップ１００では、前記ステップ２０で読み込んだ信号が、可動物３が下限位置Ｂに達したことを検出した信号であるか否かを判断する。ＹＥＳの場合はステップ１１０に進み、ＮＯの場合は本処理を終了する。
【００４３】
４．可動物の取り付け構造１を備える遊技機が奏する効果
（１）上限位置Ａにある可動物３を、ステップモータ７により十分に保持できない場合でも、短辺３５ｂと被係止板５１とが当接する（係合する）ことにより、可動物３の落下を防止することができる。
（２）強制引き離し片５５を備えることにより、図８に示すように、被駆動体１５の本体１３に対する相対位置が上限位置Ｃから下限位置Ｄに変化する場合、係合部３５の長辺３５ａを被駆動体１５側に十分に倒れ込ませ、短辺３５ｂを、被係止板５１と重ならない位置まで退避させることができる。そのことにより、可動物３を降下させるとき、短辺３５ｂが被係止板５１に係止されたままとなり、破損してしまうようなことを防止できる。
（３）被係止板５１は、図７に示すように、短辺３５ｂによって下方向から押し上げられたとき、その方向に回動可能である。そのことにより、可動物３をスムーズに上昇させることができる。また、被係止板５１はその下面におもり５１ｂを備えているので、短辺３５ｂが下から上に通過した後、短時間で水平な位置に戻ることができる。
【００４４】
５．その他の実施形態
（１）被係合部３７は、図１０に示すものであってもよい。図１０（ａ）は、上昇している短辺３５ｂがまだ被係止板５１よりも下側にある状態を示し、（ｂ）は上昇している短辺３５ｂにより被係止板５１が押し上げられている状態を示し、（ｃ）は短辺３５ｂの通過後、被係止板５１が元に戻った状態を示す。
【００４５】
図１０に示す被係合部３７では、被係止板５１の下面にはおもりが取り付けられておらず、代わりに、逆止片５３の先端と支柱４５との間にばね５７が取り付けられている。このばね５７により、図１０（ｂ）に示すように押し上げられた被係止板５１は、迅速に、図１０（ｃ）に示す状態に戻ることができる。また、被係止板５１の長さ（図１０における左右方向の長さ）は、図７等に示すものよりも短い。ばね５７を備えることにより、被係止板５１は、短くても（被係止板５１が軽くても）、図１０（ｂ）に示す状態から図１０（ｃ）に示す状態に短時間で戻ることができる。被係止板５１が短いことにより、被係止板５１を押し上げた短辺３５ｂが被係止板５１の近くにあるうちに、被係止板５１を図１０（ｃ）に示す状態に戻すことができる。
（２）被係合部３７は、図１１に示すものであってもよい。被係合部３７は、遊技機本体側の天井板（図示略）から垂下した支柱４５と、支柱４５の下部に取り付けられた保持部５９と、保持部５９内に保持された突出片６１とから構成される。保持部５９は、軸方向が横向きになるように配置された中空の筒状部材であり、支柱４５とは反対側に開口部５９ａを備えている。突出片６１は、内部にばね６３を備え、周りを伸縮性のある素材から成る外皮６５で被覆した棒状部材である。突出片６１は保持部５９の内部に収容され、突出片６１の一端６１ａは、保持部５９の奥側に固定されており、反対側の端部６１ｂは、開口部５９ａから外部に露出している。端部６１ｂは、上端が下端よりも短辺３５ｂの方向に突出するように傾斜している。また、突出片６１の側面には、一対の突起６１ｄ、６１ｅが設けられている。突起６１ｄ、６１ｅは、それぞれ、保持部５９の側面に形成された切欠部５９ｂ、５９ｃに内側から嵌入しており、突出片６１の保持部５９からの脱落を防止する。また、切欠部５９ｂ、５９ｃの長手方向（図１１における左右方向）の長さは、突起６１ｄ、６１ｅよりも長く、切欠部５９ｂ、５９ｃ内で突起６１ｄ、６１ｅは移動することが可能である。そのことにより、可動物３が上昇したときにおける突出片６１の後述する動作が許容される。
【００４６】
可動物３が上昇するとき、短辺３５ｂの先端は、傾斜している突出片６１の端部６１ｂに下側から当接する。すると、短辺３５ｂにより、突出片６１を押し縮めようとする力が加わり、突出片６１は保持部５９の内部に押し入れられる。そのため、短辺３５ｂは被係合部３７を通過することができ、可動物３はスムーズに上昇することができる。短辺３５ｂの通過後、ばね６３の反発力により、突出片６１は端部６１ｂを開口部５９ａから外部に露出させた状態に戻る。
【００４７】
一方、可動物３が落下しそうになり、短辺３５ｂが上方から降下してきたとき、短辺３５ｂは、突出片６１の側面６１ｃに上側から当接する。側面６１ｃは水平面であるから、短辺３５ｂにより下向きの力が加えられても、突出片６１は押し縮められず、短辺３５ｃの通過を許さない。その結果、可動物３の落下が防止される。
【００４８】
尚、本発明は前記実施の形態になんら限定されるものではなく、本発明を逸脱しない範囲において種々の態様で実施しうることはいうまでもない。
例えば、可動物３が移動する軌道は、前記実施の形態のような、上下方向の軌道には限定されず、上下方向における変位を伴う所定の軌道であれば、他の軌道であってもよい。例えば、上下方向に対し傾斜した方向に沿った軌道とすることができる。この場合、丸柱５の軸方向を、上下方向に対し傾斜した方向とすればよい。
【００４９】
また、被駆動体１５の、本体１３に対する移動の態様は、スライド以外であってもよい。
【符号の説明】
【００５０】
１・・・取り付け構造、３・・・可動物、５・・・丸柱、７・・・ステップモータ、
９・・・上センサ、１１・・・下センサ、１３・・・本体、１５・・・被駆動体、
１５ａ、１５ｂ・・・側面、１５ｃ・・・辺、１７・・・ガイド部、１７ａ・・・縦孔、
１９・・・帯体、１９ａ、１９ｂ・・・端部、２０・・・突出部、２１・・・溝、
２３・・・凸部、２５・・・リニア歯車、２７・・・制御装置、２９・・・駆動回路、
３１・・・突片、３３・・・保持機構、３５・・・係合部、３５ａ・・・長辺、
３５ｂ・・・短辺、３５ｃ・・・一端、３７・・・被係合部、３９・・・切欠部、
４１・・・回動軸、４３・・・バネ、４５・・・支柱、４７・・・逆止棒、４９・・・軸、
５１・・・被係止板、５１ａ・・・辺、５３・・・逆止片、５５・・・強制引き離し片、
５５ａ・・・短辺、５５ｂ・・・長辺、５９・・・保持部、５９ａ・・・開口部、
６１・・・突出片、６１ａ・・・一端、６１ｂ・・・端部、６１ｃ・・・側面、６５・・・外皮、１０１・・・ストッパ
【図１】
0005811585.tif 000002
【図２】
0005811585.tif 000003
【図３】
0005811585.tif 000004
【図４】
0005811585.tif 000005
【図５】
0005811585.tif 000006
【図６】
0005811585.tif 000007
【図７】
0005811585.tif 000008
【図８】
0005811585.tif 000009
【図９】
0005811585.tif 000010
【図１０】
0005811585.tif 000011
【図１１】
0005811585.tif 000012